(57)【要約】      （修正有）【課題】花瓶や植木鉢などの置物を安定して載置することができるとともに、どっしりとした重厚感をも出すことができる載置台を提供する。【解決手段】この載置台１は、花瓶又は植木鉢を含む置物１０を載置可能なものであって、断面山形状の瓦材２をその稜部分と直角方向に所定幅でカットした前後カット面２ａ，２ｂと、前後カット面２ａ，２ｂ間にある稜部が平坦になるように加工した平坦面３とを備えるとともに、瓦材２は断面への字状であって、前記瓦材２の稜部分と直角方向の左右裾部にそれぞれ被せて配置可能なアーチ状の別の瓦材４，４を備えている。【選択図】図１
0003148392.tif 000002
【実用新案登録請求の範囲】
【請求項１】
花瓶又は植木鉢を含む置物を載置可能な載置台であって、
断面山形状の瓦材を該瓦材の稜部分と直角方向に所定幅でカットした前後カット面と、該前後カット面間にある稜部分の少なくとも一部が平坦になるように加工した平坦面とを備えたことを特徴とする載置台。
【請求項２】
前記山形状の瓦材は断面への字状であって、前記瓦材の稜部分と直角方向の左右裾部にそれぞれ被せて配置可能なアーチ状の別の瓦材を備えたことを特徴とする請求項１記載の載置台。
【請求項３】
前記山形状の瓦材はアーチ状であって、前記瓦材の前後カット面にそれぞれ被せて配置可能なアーチ状の別の瓦材を備えたことを特徴とする請求項１記載の載置台。
【請求項４】
前記山形状の瓦材に窓を設けたことを特徴とする請求項３記載の載置台。
【請求項５】
前記山形状の瓦材中に、前記窓から灯りが見えるように光源を内蔵可能としたことを特徴とする請求項４記載の載置台。
【請求項６】
前記山形状の瓦材の底面と、前記別の瓦材との底面との少なくとも一部に、滑り止めまたは傷つけ防止用のパッドを設けたことを特徴とする請求項２〜５のいずれか１項に記載の載置台。
【考案の詳細な説明】
【技術分野】
【０００１】
本考案は、載置台に関し、詳しくは花瓶又は植木鉢を含む置物を載置可能な載置台に係わるものである。
【背景技術】
【０００２】
従来の花台や植木鉢台は、合成樹脂や木や陶器を用いたものが多く、その上に載せる花瓶や植木鉢の大きさに比べて大型のものが多かった。その理由としては、花瓶には背の高い花が生けられることがあり、植木鉢には背の高い植木が植えられていることがあって、小型の花台や植木鉢台では、いかにも不安定であり、どっしりとした重厚感を出すことは難しかったからである。
【０００３】
その一方で、どっしりとした重厚感を出すものとして、例えば特許文献１に記載されたような装飾瓦が知られていた。ただし、この装飾瓦は、外形が瓦形状で、これの両端部の長さ方向に袖部を設け、谷部に装飾部を表出することにより、主として意匠的効果を演出しているものであり、瓦上に花瓶や植木鉢などを載せるものではなかった。
【特許文献１】実公平７−２９９９９９号公報
【考案の開示】
【考案が解決しようとする課題】
【０００４】
特許文献１の装飾瓦は、どっしりとした重厚感を出すことができるものの、瓦上に花瓶や植木鉢などを載せるものではなかったため、花台や植木鉢台として使用することができないことは明らかである。
【０００５】
また、この装飾瓦は、建材として一般に出回っている瓦ではなく、特殊な作り方をしているものであるため、製作に手間がかかり、高価なものとなってしまうという問題もあった。
【０００６】
本考案は、上記事情に鑑みてなされたものであり、その目的とするところは、花瓶や植木鉢などの置物を安定して載置することができるとともに、どっしりとした重厚感をも出すことができる載置台を提供することである。
【課題を解決するための手段】
【０００７】
本考案は、花瓶又は植木鉢を含む置物を載置可能な載置台であって、断面山形状の瓦材を該瓦材の稜部分と直角方向に所定幅でカットした前後カット面と、該前後カット面間にある稜部分の少なくとも一部が平坦になるように加工した平坦面とを備えたことを特徴とするものである。
【０００８】
本考案によれば、断面山形状の瓦材を該瓦材の稜部分と直角方向に所定幅でカットした前後カット面と、該前後カット面間にある稜部分の少なくとも一部が平坦になるように加工した平坦面とを備えているので、この平坦面上に花瓶や植木鉢を安定して載せることができるとともに、全体として重厚かつ安定したものとなる。
【０００９】
また、断面山形状の瓦材は、建材として一般に出回っている瓦材の一種である。このため、前記特許文献１の装飾瓦とは異なり、瓦材の作り方を建材として一般に出回っている瓦材の作り方から変えなくてすむため、効率良く作ることができ、比較的安価なものとなる。
【００１０】
請求項２記載の考案のように、前記山形状の瓦材は断面への字状であって、前記瓦材の稜部分と直角方向の左右裾部にそれぞれ被せて配置可能なアーチ状の瓦材を備えることが好ましい。
【００１１】
請求項２記載の考案によれば、前記山形状の瓦材は断面への字状であって、前記瓦材の稜部分と直角方向の左右裾部にそれぞれ被せて配置可能なアーチ状の瓦材を備えたので、前記平坦部から左右に大きく広がって延びる裾部でもって、平坦部上の置物を安定して支持することができるとともに、その左右裾部がそれぞれアーチ状の別の瓦材で押え付けられることにより、全体として、より重厚かつ安定したものとなる。
【００１２】
また、別の瓦材も、建材として一般に出回っている瓦材の一種であるので、この考案によっても、前記特許文献１に記載の装飾瓦に比べて製作に手間がかからず、比較的安価なものとなる。
【００１３】
或いは、請求項３記載の考案のように、前記山形状の瓦材はアーチ状であって、前記瓦材の前後カット面にそれぞれ被せて配置可能なアーチ状の別の瓦材を備えることが好ましい。
【００１４】
請求項３記載の考案によれば、前記山形状の瓦材はアーチ状であって、前記瓦材の前後カット面にそれぞれ被せて配置可能なアーチ状の別の瓦材を備えたので、前記平坦部から左右に若干広がって延びる裾部でもって、平坦部上の置物を安定して支持することができるとともに、アーチ状の瓦材の前後カット面がそれぞれアーチ状の別の瓦材で押え付けられることにより、全体として、より重厚かつ安定したものとなる。
【００１５】
また、別の瓦材も、建材として一般に出回っている瓦材の一種であるので、この考案によっても、前記特許文献１に記載の装飾瓦に比べて製作に手間がかからず、比較的安価なものとなる。
【００１６】
ところで、山形状の瓦材がアーチ状である場合には、その瓦材よりも大径のアーチ状の別の瓦材で前記平面部を挟み込むことになるので、断面への字状である場合に比べて、前後カット面間が長めになる。このため、山形状の瓦材の重量が比較的大きくなり、前後カット面間に花瓶や植木鉢からの水分が流入して溜まり、例えば机上に置いたときにその机を汚したりして不具合である。そこで、請求項４記載の考案のように、前記山形状の瓦材に窓を設けることが好ましい。
【００１７】
請求項４記載の考案によれば、前記山形状の瓦材に窓を設けたので、山形状の瓦材の重量が比較的小さくなり、前記山形状の瓦材内に花瓶や植木鉢からの水分が流入したとしても、その水分を窓から蒸発させて速やかに除去することができる。また、この窓形状を例えばハート型にするなどして、意匠的な効果を出すこともできる。
【００１８】
請求項５記載の考案のように、前記山形状の瓦材中に、前記窓から灯りが見えるように光源を内蔵可能とすることが好ましい。
【００１９】
請求項５記載の考案によれば、前記山形状の瓦材中に、前記窓から灯りが見えるように光源を内蔵可能としたので、この灯りを例えばルームライトとして使用することができて、便利である。また、この光源を入れることで、窓からこぼれる幻想的な光を楽しめるので、趣向性に富むものとなる。この光源を点滅させたり、灯りの色あいや強さなどを変化させたりすることで、さらに趣向性に富むものとなる。
【００２０】
請求項６記載の考案のように、前記山形状の瓦材の底面と、前記別の瓦材との底面との少なくとも一部に、滑り止めまたは傷つけ防止用のパッドを設けることが好ましい。
【００２１】
請求項６記載の考案によれば、前記山形状の瓦材の底面と、前記別の瓦材との底面との少なくとも一部に、滑り止めまたは傷つけ防止用のパッドを設けたので、例えば机上に置いたときにも滑って転倒又は落下することにより破損するおそれが少なくなり、或いは、その机の表面を傷つけてしまうおそれが少なくなる。
【考案の効果】
【００２２】
本考案によれば、断面山形状の瓦材を該瓦材の稜部分と直角方向に所定幅でカットした前後カット面と、該前後カット面間にある稜部分の少なくとも一部が平坦になるように加工した平坦面とを備えているので、この平坦面上に花瓶や植木鉢を安定して載せることができるとともに、全体として重厚かつ安定したものとなる。
【００２３】
また、断面山形状の瓦材は、建材として一般に出回っている瓦材の一種である。このため、前記特許文献１の装飾瓦とは異なり、瓦材の作り方を変えなくてすむため、効率良く作ることができ、比較的安価なものとなる。
【考案を実施するための最良の形態】
【００２４】
（実施形態１）
図１は本考案の実施形態１に係る載置台１の全体構成を示す正面図である。また、図２は載置台１の詳細構成を示す図であって、（ａ）は平面図、（ｂ）は正面図、（ｃ）は側面図である。
【００２５】
本考案の実施形態１に係る載置台１は、例えば図１及び図２（ａ）（ｂ）（ｃ）に示すように、花瓶又は植木鉢を含む置物１０としての小皿に載せた植木を載置可能なものであって、主として、１個の断面山形状の瓦材２と、２個のアーチ状の別の瓦材（以下、単にアーチ状の瓦材ということがある。）４，４とから構成されている。これらの瓦材２，４，４の作り方は、基本的には、いずれも建材として一般的に使用されているものと同様である。すなわち、土を練って、形を作り、窯で焼いて製造する。場合によっては、いぶしてもよい。
【００２６】
断面山形状の瓦材２の素材は、ほぼ一定肉厚であり、平面略四角形状の幅方向中央で適当なアールをつけて凸設されて稜部分を形成しており、かつ、この稜部分に連続する左右両側でそれぞれ直線状に先下がりとなるように形成されることにより、断面への字状をなしている。瓦材２の素材の稜部分の中央には図示しない小孔が適宜穿設されている。アーチ状の瓦材４の素材は、断面半円筒形状をなしている。瓦材４の素材の稜部分の中央にも図示しない小孔が適宜穿設されており、かつ、その稜部分と直角方向に幅狭の浅溝が適宜形成されている。
【００２７】
瓦材２は、その素材の稜部分と直角方向に所定幅でカットした前後カット面２ａ，２ｂと、該前後カット面２ａ，２ｂ間にある稜部分が平坦になるように加工した平坦面３とを備えている。平坦面３は平面視で略正方形をなしている。瓦材４は、その素材の稜部分と直角方向に前記所定幅と略同幅でカットした前後カット面４ａ，４ｂを備えている。
【００２８】
瓦材２の稜部分と直角方向の左右裾部２ｃ，２ｄに、それぞれ瓦材４，４を被せて配置するが、このとき瓦材２の左右裾部２ｃには、瓦材４の前後カット面４ａ，４ｂのいずれか一方を実質的に当接させることとしている。
【００２９】
瓦材２の底面２ｅと、瓦材４，４の底面４ｅ，４ｅとの少なくとも一部に、滑り止めまたは傷つけ防止用のパッド５，５，・・・を設けることとしている。パッド５，５，・・・は、例えば市販のゴム板などを円形にカットして、前記底面の適宜箇所に貼り付けている。これらのパッド５，５，・・・を設けたので、例えば机上に置いたときにも滑って転倒又は落下することにより破損するおそれが少なくなり、或いは、その机の表面を傷つけてしまうおそれが少なくなる。
【００３０】
この実施形態１によれば、断面山形状の瓦材２をその稜部分と直角方向に所定幅でカットした前後カット面２ａ，２ｂと、該前後カット面２ａ，２ｂ間にある稜部分が平坦になるように加工した平坦面３とを備えているので、この平坦面３上に花瓶や植木鉢などを含む置物１０を安定して載せることができるとともに、全体として重厚かつ安定したものとなる。
【００３１】
なお、瓦材２の左右両側に配置した瓦材４，４の適所に、「鬼瓦」の形状をレリーフ状にした刻印などを入れることとしてもよい。また、瓦材２の左側に配置した瓦材４に穿設された小孔に、例えば「愛・瓦かわらず・に」との商標を記した名札を支持する竹の小枝などを挿入こととしてもよい。これらにより、意匠的な効果を出すこともできる。
【００３２】
また、断面山形状の瓦材２は、建材として一般に出回っている瓦材の一種である。このため、前記特許文献１の装飾瓦とは異なり、瓦材の作り方を建材として一般に出回っている瓦材の作り方から変えなくてすむため、効率良く作ることができ、比較的安価なものとなる。
【００３３】
そして、前記山形状の瓦材２は断面への字状であって、前記瓦材２の稜部分と直角方向の左右裾部２ｃ，２ｄにそれぞれ被せて配置可能なアーチ状の瓦材４，４を備えたので、前記平坦部３から左右に大きく広がって延びる裾部２ｃ，２ｄでもって、平坦部３上の置物１０を安定して支持することができるとともに、その左右裾部２ｃ，２ｄがそれぞれアーチ状の瓦材４，４の前後カット面４ａ，４ｂのいずれか一方で押え付けられることにより、全体として、より重厚かつ安定したものとなる。
【００３４】
また、アーチ状の瓦材４も、建材として一般に出回っている瓦材の一種であるので、これによっても、前記特許文献１に記載の装飾瓦に比べて製作に手間がかからず、比較的安価なものとなる。
【００３５】
（実施形態２）
図３は本考案の実施形態２に係る載置台１’の全体構成を示す正面図である。また、図４は載置台１’の詳細構成を示す図であって、（ａ）は平面図、（ｂ）は正面図、（ｃ）は側面図である。なお、図３，図４において、前記図１，図２と共通する要素には、同一番号を付しており、前記図１，図２の要素に相当する要素には、図１，図２に記載のものとの区別を図るため、番号の右上に添字「’」を付している。
【００３６】
本考案の実施形態２に係る載置台１’は、例えば図３及び図４（ａ）（ｂ）（ｃ）に示すように、花瓶又は植木鉢を含む置物１０を載置可能なものであって、主として、１個のアーチ状の瓦材２’と、この瓦材２’とは別の２個のアーチ状の瓦材（アーチ状の別の瓦材に相当する。以下、単にアーチ状の瓦材ということがある。）４’，４’とから構成されている。これらの瓦材２’，４’，４’の作り方は、いずれも建材として一般的に使用されているものと同様である。
【００３７】
アーチ状の瓦材２’の素材は、断面半円筒形状をなしている。瓦材２’の素材の稜部分の中央には図示しない小孔が適宜穿設されている。これとは別のアーチ状の瓦材４’の素材は、ドーナッツの外側半分をさらにその上側半分とした形状をなしている。瓦材２’の外側半径よりも瓦材４’の内側半径は若干大きく設定されている。瓦材４’の素材の稜部分の中央にも図示しない小孔が適宜穿設されている。
【００３８】
瓦材２’は、その素材の稜部分と直角方向に所定幅でカットした前後カット面２ａ’，２ｂ’と、該前後カット面２ａ’，２ｂ’間にある稜部分の一部が平坦になるように加工した平坦面３’とを備えている。平坦面３’は平面視で長方形をなしている。瓦材４’は、その素材の稜部分と直角方向に前記所定幅よりも狭い幅でカットした前後カット面４ａ’，４ｂ’を備えている。
【００３９】
瓦材２’の稜部分と直角方向の前後端には、それぞれ瓦材４’，４’を被せて配置するが、このとき瓦材２’の前後カット面２ａ’，２ｂ’の上側には図示しない位置決め孔が形成されるとともに、瓦材４’の前後カット面４ａ’，４ｂ’の下側には図示しない位置決めピンが植設されており、これらの位置決めピンを位置決め孔に嵌め込むことで、各瓦材２’，４’，４’の正確な位置決めをすることができるようになっている。
【００４０】
ところで、この実施形態２のようなアーチ状の瓦材２’の場合には、前記実施形態１のような断面への字状の瓦材２の場合に比べて、前後カット面２ａ’，２ｂ’間が長めになるので、瓦材２’の重量が比較的大きくなり、前後カット面２ａ’，２ｂ’間に花瓶や植木鉢からの水分が流入して溜まるおそれもある。そこで、この実施形態２では、瓦材２’の前後左右の適宜箇所をそれぞれハート型にくり貫いた窓６，６，・・・を設けている。
【００４１】
この実施形態２では、瓦材２’に窓６，６，・・・を設けることにより、瓦材２’の重量が比較的小さくなり、前記瓦材２’内に花瓶や植木鉢からの水分が流入したとしても、その水分を窓６，６，・・・から蒸発させて速やかに除去することができるようにしている。なお、この窓６，６，・・・の形状をハート型としているが、この窓６，６，・・・の形状を丸形や四角形など、その他の形状としてもよいのはもちろんである。また、瓦材２’の適所に、「淡路島」の形状をレリーフ状にした刻印などを入れることとしてもよい。これらによっても、意匠的な効果を出すことができる。
【００４２】
この瓦材２’中に、窓６，６，・・・から灯りが見えるように図示しない光源を内蔵可能とすることにより、この灯りを例えばルームライトとして使用することができて便利である。また、この光源を入れることで、窓６，６，・・・からこぼれる幻想的な光を楽しめるので、趣向性に富むものとなる。この光源を点滅させたり、灯りの色あいを変化させたりすることで、さらに趣向性に富むものとなる。
【００４３】
さらに、瓦材２’の底面２ｅ’と、瓦材４’，４’の底面４ｅ’，４ｅ’との少なくとも一部に、前記実施形態１におけるものと同様のパッド５，５，・・・を設けることが好ましい。この実施形態２においても、これらのパッド５，５，・・・を設けることで、例えば机上に置いたときにも滑って転倒又は落下することにより破損するおそれが少なくなり、或いは、その机の表面を傷つけてしまうおそれが少なくなる。
【００４４】
この実施形態２によれば、断面山形状の瓦材２’をその稜部分と直角方向に所定幅でカットした前後カット面２ａ’，２ｂ’と、該前後カット面２ａ’，２ｂ’間にある稜部分の一部が平坦になるように加工した平坦面３’とを備えているので、この平坦面３’上に花瓶や植木鉢などを含む置物１０を安定して載せることができるとともに、全体として重厚かつ安定したものとなる。なお、瓦材２の左側に配置した瓦材４に穿設された小孔に、例えば「愛・瓦かわらず・に」との商標を記した名札を支持する竹の小枝などを挿入こととしてもよい。これによっても意匠的な効果を出すことができる。
【００４５】
また、断面山形状の瓦材２’は、建材として一般に出回っている瓦材の一種である。このため、前記特許文献１の装飾瓦とは異なり、瓦材の作り方を建材として一般に出回っている瓦材の作り方から変えなくてすむため、効率良く作ることができ、比較的安価なものとなる。
【００４６】
そして、前記山形状の瓦材２’はアーチ状であって、前記瓦材２’の稜部分と直角方向の左右裾部２ｃ’，２ｄ’にそれぞれ被せて配置可能なアーチ状の別の瓦材４’，４’を備えたので、前記平坦部３’から左右に若干広がって下側に延びる裾部２ｃ’，２ｄ’でもって、平坦部３’上の置物１０を安定して支持することができるとともに、その左右裾部２ｃ’，２ｄ’が、それぞれアーチ状の瓦材４’，４’の前後カット面４ａ’，４ｂ’で押え付けられることにより、全体として、より重厚かつ安定したものとなる。
【００４７】
また、アーチ状の瓦材４’も、建材として一般に出回っている瓦材の一種であるので、これによっても、前記特許文献１に記載の装飾瓦に比べて製作に手間がかからず、比較的安価なものとなる。
【００４８】
なお、上記実施形態１では、断面への字状の瓦材２を使用し、上記実施形態２では、アーチ状の瓦材２’を使用しているが、その他の断面山形状の瓦材を使用してもよい。その場合でも、上記実施形態１，２と同様の作用効果を奏するものとなる。
【００４９】
また、上記実施形態１では、アーチ状の別の瓦材として、断面半円筒状の瓦材４，４を使用し、上記実施形態２では、ドーナッツの外側半分をさらにその上側半分とした形状の瓦材４’，４’を使用しているが、それらを互いに入れ替えて使用してもよいし、更に他の形状のものを使用してもよい。
【図面の簡単な説明】
【００５０】
【図１】本考案の実施形態１に係る載置台の概略構成を示す正面図である。
【図２】図１の載置台の詳細構成を示す図であって、（ａ）は平面図、（ｂ）は正面図、（ｃ）は側面図である。
【図３】本考案の実施形態２に係る載置台の概略構成を示す正面図である。
【図４】図３の載置台の詳細構成を示す図であって、（ａ）は平面図、（ｂ）は正面図、（ｃ）は側面図である。
【符号の説明】
【００５１】
１  載置台
２  瓦材（山形状の瓦材、断面への字状の瓦材に相当する。）
２ａ，２ｂ  前後カット面
２ｃ，２ｄ  裾部
３  平坦部
４  瓦材（アーチ状の別の瓦材に相当する。）
４ｅ  底面
５  パッド
１０  置物
１’  載置台
２’  瓦材（山形状の瓦材、アーチ状の瓦材に相当する。）
２ａ’，２ｂ’  前後カット面
２ｃ’，２ｄ’  裾部
３’  平坦部
４’  瓦材（アーチ状の別の瓦材に相当する。）
４’  底面
６  窓
【図１】
0003148392.tif 000003
【図２】
0003148392.tif 000004
【図３】
0003148392.tif 000005
【図４】
0003148392.tif 000006